(57)【要約】      （修正有）【課題】景観を損なうことなく排水に含まれる熱エネルギーの浪費を抑え、掛け流し浴槽の湯温を均一にでき、水位を一定に保つことができる排水器を提供する。【解決手段】内部が空洞であり上底と下底が閉じた柱状部材の内部に、内部空間を、上底との間に空間を持つよう軸方向に垂直仕切板１１６により２室に区切り、一方の室に低温水流出口を配設し、他方の室に低温水流入口を配設したものを本発明の排水器とする。施工時は垂直仕切板の上端である仕切板溢れ面２３３を浴槽の予定水位に合わせ、浴槽底面に設けた排水口と、本発明の低温水流入口とを配管し、低温水流出口は排水配管へ接続する。【選択図】図２
2020033860.tif 000002
【特許請求の範囲】
【請求項１】
内部が空洞であり上底と下底が閉じた柱状部材の内部に、内部空間を軸方向に２室に区切る仕切板を、上底との間には空間を設け、下底に垂直に接着し、ある側面とその対面に対しては接着するように配し、前記仕切板によって区切られた一方の室の底面に低温水流入口を配設し、他方の室の底面に低温水流出口を配設したことを特徴とする、浴槽定温排水器
【請求項２】
内部が空洞であり上底と下底が閉じた柱状部材の底面に低温水流入口と低温水流出口とを配設し、前記柱状部材の内部に、前記低温水流出口に垂直に接続されるパイプを設けたことを特徴とする、浴槽定温排水器
【請求項３】
内部が空洞であり上底と下底が閉じた柱状部材の底面に低温水流入口と低温水流出口とを配設し、前記柱状部材の内部に、前記低温水流入口に垂直に接続されるパイプを設けたことを特徴とする、浴槽定温排水器
【請求項４】
前記底面に突縁を設けて固定部を形成したことを特徴とする、請求項１乃至請求項３に記載の浴槽定温排水器
【請求項５】
内部が空洞であり上底と下底が閉じた柱状部材の内部に、内部空間を軸方向に２室に区切る仕切板を、上底との間には空間を設け、下底に垂直に接着し、ある側面とその対面に対しては接着するように配し、前記仕切板によって区切られた一方の室の側面に低温水流入口を配設し、他方の室の側面に低温水流出口を配設したことを特徴とする、浴槽定温排水器
【請求項６】
前記低温水流入口及び前記低温水流出口を、特に底面に接する高さに配設したことを特徴とする、請求項５に記載の浴槽定温排水器
【請求項７】
内部が空洞であり上底と下底が閉じた柱状部材の側面に低温水流入口と低温水流出口とを配設し、前記柱状部材の内部に、前記低温水流出口から配管を上方に立ち上げ垂直に接続されるパイプを設けたことを特徴とする、浴槽定温排水器
【請求項８】
内部が空洞であり上底と下底が閉じた柱状部材の側面に低温水流入口と低温水流出口とを配設し、前記柱状部材の内部に、前記低温水流入口から配管を上方に立ち上げ垂直に接続されるパイプを設けたことを特徴とする、浴槽定温排水器
【請求項９】
前記柱状部材の側面を低温水流出口より下方に延長し、前記延長部分の底部に突縁を設けて固定部を形成したことを特徴とする、請求項１乃至請求項８に記載の浴槽定温排水器
【請求項１０】
前記柱状部材の側面を低温水流出口より下方に延長し、前記側面延長部の断面を拡大した形状で形成した側面延長受部と前記側面延長受部の底部に設けた突縁により形成される固定部で構成される高さ調整部に挿入して保持手段により保持することで、前記仕切板上端の高さを調整できることを特徴とする、請求項５乃至請求項８に記載の浴槽定温排水器
【請求項１１】
前記柱状部材の側面を低温水流出口より下方に延長し、前記側面延長部の断面を縮小した形状で形成した側面延長受部と前記側面延長受部の底部に設けた突縁により形成される固定部で構成される高さ調整部を挿入して保持手段により保持することで、前記仕切板上端の高さを調整できることを特徴とする、請求項５乃至請求項８に記載の浴槽定温排水器
【請求項１２】
前記柱状部材の形状が円柱であることを特徴とする、請求項１乃至請求項１１に記載の浴槽定温排水器
【請求項１３】
前記柱状部材の形状が角柱であることを特徴とする、請求項１乃至請求項１１に記載の浴槽定温排水器
【請求項１４】
前記柱状部材の上底を開口し、蓋部材で閉塞したことを特徴とする、請求項１乃至請求項１３に記載の浴槽定温排水器
【請求項１５】
前記柱状部材の低温水流入口を配設した室にセンサを設けたことを特徴とする、請求項１乃至請求項１４に記載の浴槽定温排水器
【請求項１６】
前記センサが水位センサであることを特徴とする、請求項１５に記載の浴槽定温排水器
【請求項１７】
前記センサが温度センサであることを特徴とする、請求項１５に記載の浴槽定温排水器
【請求項１８】
前記センサとして水位センサと温度センサとの両方を備えることを特徴とする、請求項１５に記載の浴槽定温排水器
【請求項１９】
機器の外面を設置環境に合わせて塗装したことを特徴とする、請求項１乃至請求項１８に記載の浴槽定温排水器
【請求項２０】
外面塗装が擬木であることを特徴とする、請求項１９に記載の浴槽定温排水器
【請求項２１】
外面塗装が擬石であることを特徴とする、請求項１９に記載の浴槽定温排水器
【請求項２２】
請求項１乃至請求項２１に記載の浴槽定温排水器を用いた浴槽の排水方法であって、浴槽の底面に排水口を設け、前記浴槽定温排水器内の仕切板の上端が、前記浴槽の水面の延長線上に一致し且つ前記浴槽排水口に接続される立て管と前記浴槽定温排水器の低温水流入口とを連通する横引管が、水平か、前記浴槽定温排水器の側が低くなる勾配をもつよう、前記浴槽の排水口と前記浴槽定温排水器の低温水流入口を配管で接続し、前記浴槽定温排水器の低温水流出口を排水管に接続したことを特徴とする、浴槽排水方法
【請求項２３】
前記浴槽の排水口と前記浴槽定温排水器との間の横引管に流量調整弁を設け、弁の開度により、前記浴槽定温排水器への排水の流入量を調節可能としたことを特徴とする、請求項２２に記載の浴槽排水方法
【請求項２４】
前記流量調整弁を電動弁とし、人感センサにより入浴者があると感知したときに前記流量調整弁の開度を小さくして浴槽表面から溢れさせることを特徴とする、請求項２３に記載の浴槽排水方法
【請求項２５】
請求項１８に記載の低温水流入口を配設した室に水位センサ及び温度センサを設けたことを特徴とする浴槽定温排水器を用いて、各センサの検知結果を基に温水補給弁を操作することで浴槽の水位及び温度の管理方法であって、予め設定した水位を下回ったことを前記水位センサによって感知した場合は設定水位まで温水を補給し、設定水位に達した後は前記浴槽定温排水器内部の仕切板からの溢れによる水位調整を行うとともに、浴槽内の湯温が予め設定した温度を下回ったことを前記温度センサによって感知した場合は温水の補給量を増加させ低温になった浴槽内の湯を排水することで前記浴槽内の湯温を上昇させることを特徴とする、浴槽の水位及び温度の管理方法
【請求項２６】
請求項２５の水位及び温度の管理方法に更に人感センサを設け、水位及び温度の管理に加えて、入浴者があるときは前記電動流量調整弁の開度を小さくして浴槽表面から溢れさせることを特徴とする、請求項２５に記載の浴槽の水位及び温度の管理方法
【発明の詳細な説明】
【技術分野】
【０００１】  本発明は、掛け流し浴槽の排水機器に関する。
【背景技術】
【０００２】  浴槽の上部から湯口などを用いて温水を補給しろ過をせず排水する掛け流しの浴槽では、従来、図２２のように浴槽上部からの溢水により排水を行っていた。この方法では、浴槽上部から供給された比較的高温の温水が浴槽水と十分に混じらず高温のまま排水されてしまい、浴槽水が充分に保温されないことと同時に、排水に含まれる熱エネルギーの浪費にもなっている。【０００３】  また、前記課題を解決するために浴槽底部から排水し、水位調節のため鳥居状に排水配管を立ち上げる方法もある。図２３に示すもので、鳥居配管の横引配管部下面が浴槽の水位と同水位となっており、前記鳥居配管の横引配管部より浴槽側の配管内には浴槽と同水位の排水が流入している。このとき、浴槽の水位が上がると、排水が溢れ面である前記鳥居配管の横引配管部を越え排水される仕組みである。この方法では、比較的低温の浴槽下層部から排水することができ、水位調整もセンサ等を使用しない簡単な構造にできるが、浴槽から鳥居配管までの配管を長くすると滞留水が多くなり衛生上問題となることから、浴槽の近くに設置し排水口から流出した水が前記鳥居配管の横引配管部を越え排水されるまでの時間を短くする必要があるため、むき出しの配管が浴槽付近に現れることになり浴場の景観を損ねる。
【発明の概要】
【発明が解決しようとする課題】
【０００４】  そこで本発明は、景観を損なうことなく掛け流し浴槽の湯温を均一にでき、水位を一定に保つことができる排水器を提供することを目的とする。
【課題を解決するための手段】
【０００５】  以上の課題を解決するため、本発明の排水器は、内部が空洞であり上底と下底が閉じた柱状部材の内部に、内部空間を軸方向に２室に区切る仕切板を、上底との間には空間を設け、下底に垂直に接着し、ある側面とその対面に対しては接着するように配し、前記仕切板によって区切られた室に、一方には温水流入口を配設し、他方には低温水流出口を配設したことを特徴とする。前記低温水流出口と低温水流入口は、本発明の底面または側面に配設する。施工時は前記仕切板の上端を浴槽の予定水位に合わせ、浴槽底面に設けた排水口と、本発明の低温水流入口とを連通管で接続し、低温水流出口は排水配管へ接続する。本機能を果たすための柱体部材の横断面形状は、楕円を含む円形や多角形等、どのような形状でもよい。【０００６】  前記仕切板の上端は、鳥居配管を用いて排水するときの横引配管部下面と同じ役割を果たす。即ち、本発明の低温水流入口がある排水水位調整室の内部には浴槽と同水位の排水が流入しており、浴槽の水位が上がると、排水が溢れ縁である前記仕切板の上端を越え、本発明の低温水流出口がある排水流出室へ流入し排水される。【０００７】  段落番号０００５乃至段落番号０００６に記載の仕切板を設ける代わりに、低温水流出口または低温水流入口のいずれか一方の内部に垂直にパイプを設けることで、内部を仕切ることもできる。この場合、パイプ壁面が段落番号０００５に記載の仕切板の役割を果たす。【０００８】  本発明の外観は柱体であるため、景観に合わせた塗装を施せば、浴室の景観を損なうことなく機能を果たすことができる。塗装は、単色以外にも、混色・グラデーション・メタリック・グリッター・パール・マーブル・迷彩・擬木・擬石などが考えられ、本発明を実施する材質と塗料の特徴により自由に意匠を施すことができる。【０００９】  本発明の実施には、前記溢れ縁の高さを浴槽の水位と合せて施工する必要がある。このため、仕切板による場合は、本発明に高さ調節機構を設ければ現地での施工が容易になる。前記高さ調節機構は、横断面が相似形の２つの筒を重ね、適した高さに調整したのち保持する手段を設けて実現する。前記高さ調節機構は、本発明の側面を延長した部分、即ち低温水流入口及び低温水流出口と本体底面より下方に設けると、機能を損ねることなく高さ調整できるようになる。垂直パイプによって実施する場合は、前記垂直パイプを長く造っておき、現地で水位に合わせて切断することで、水位決定が可能である。【００１０】  材質などの影響で浴槽に取付穴が開けられない、意匠的に設けたくないなどで水位センサなどのセンサを浴槽に取付できない場合は、本発明に取付が可能である。この場合、本発明の低温水流入口がある室に取り付ける。前記水位センサは、電極棒式でも圧力感知式でも良い。この他、温度センサや水質監視センサの利用も考えられるが、流速が遅く浴槽から排出された直後でない水を測定することになるため、例えば比較的流速の速い循環水を機械室で測定する場合よりも、浴槽水の水質を測定するという点において正確性が低くなる傾向にある。このため、浴槽内の水質に近いものを測定できるよう、本発明への流入直後の水を測定できる位置即ち低温水流入口の近傍にセンサを設ける必要がある。
【発明の効果】
【００１１】  本発明を実施すると、景観を損なうことなく掛け流し浴槽の湯温を均一にでき、水位を一定に保つことができる排水器を提供することができる。また、浴槽からの溢れによる換水方法では湯水が滞留しがちな浴槽底部から排水するため、衛生面の向上効果もある。
【図面の簡単な説明】
【００１２】
【図１】  図１は、本発明の正面図である。
【図２】  図２は、本発明の全断面図である。
【図３】  図３は、本発明の施工例図である。
【図４】  図４は、水位が釣り合った状態を示すＡ部拡大図である。
【図５】  図５は、溢れ状態を示すＡ部拡大図である。
【図６】  図６は、高さ調節機構を持つ実施例を示す全断面図である。
【図７】  図７は、低温水流入口及び低温水流出口が底面に設けられた実施例を示す全断面図である。
【図８】  図８は、図７の実施例の施工例図である。
【図９】  図９は、電極式水位センサを持つ実施例の全断面図である。
【図１０】  図１０は、温度センサを持つ実施例の全断面図である。
【図１１】  図１１は、人感センサと組み合せた演出を行うことが可能な実施例の施工例図である。
【図１２】  図１２は、水位センサ及び温度センサを持つ本発明を用いて浴槽の水位及び温度管理を行う実施例の施工例図である。
【図１３】  図１３は、水位センサ及び温度センサを持つ本発明と人感センサを組み合わせた実施例の施工例図である。
【図１４】  図１４は、垂直仕切板に代えて垂直パイプを低温水流出口に接続した実施例のうち、側面に低温水流入口及び低温水流出口を持つものの全断面図である。
【図１５】  図１５は、垂直仕切板に代えて垂直パイプを低温水流出口に接続した実施例のうち、底面に低温水流入口及び低温水流出口を持つものの全断面図である。
【図１６】  図１６は、垂直仕切板に代えて垂直パイプを低温水流出口に接続した実施例のうち、底面に低温水流入口及び低温水流出口を持ち垂直パイプの拡径と水平仕切板を用いて底面の底上げをした実施例の全断面図である。
【図１７】  図１７は、垂直仕切板に代えて垂直パイプを低温水流入口に接続した実施例のうち、側面に低温水流入口及び低温水流出口を持つものの全断面図である。
【図１８】  図１８は、垂直仕切板に代えて垂直パイプを低温水流入口に接続した実施例のうち、底面に低温水流入口及び低温水流出口を持つものの全断面図である。
【図１９】  図１９は、垂直仕切板に代えて垂直パイプを低温水流入口に接続した実施例のうち、底面に低温水流入口及び低温水流出口を持ち垂直パイプの拡径と水平仕切板を用いて底面の底上げをした実施例の全断面図である。
【図２０】  図２０は、垂直仕切板に代えて垂直パイプを低温水流出口に接続した実施例のうち、水位センサ及び温度センサを持つものの全断面図である。
【図２１】  図２１は、図２０の実施例に人感センサを組み合わせた施工例図である。
【図２２】  図２２は、従来の掛け流し浴槽である。
【図２３】  図２３は、配管を鳥居形状に組み浴槽底部から排水する従来技術である。
【発明を実施するための形態】
【００１３】  以下、本発明の実施例を図面とともに説明する。図１乃至図５は本発明の基本的な構造と施工例を示し、図６乃至図２１は応用的な実施例を示す。
【実施例１】
【００１４】  図１乃至図２は、本発明の代表的な実施例を示す。図１は本発明の正面図、図２は全断面図である。符号１１２の低温水流入口の高さは、自然法則に則れば、本体底部から符号１１６の垂直仕切板の上端までの範囲でも機能は果たせる。しかし、床面より高く設けて配管が表面化してしまうことを避けるため、最底部に設けるのが良い。前記垂直仕切板の上端が本発明における溢れ面、言い換えれば排水が始まる高さとなり、符号２３３の仕切板溢れ面で示すこととする。【００１５】  符号１１１の本体部内には、符号１１３の低温水流出口の下端と高さを合わせた位置に符号１１５の水平仕切板を設けている。これは、本発明の核となる部分としては底部となり、段落００１０までで述べた、内部が空洞の柱状部材の下底に当る。前記水平仕切板の下部は、本体側面を延長し突縁を設けた形状をしているが、これは基礎等に固定するための固定部である。本体内には、内部空間を区切る符号１１６の垂直仕切板がある。区切られた内部空間のうち、符号１１２の低温水流入口のある側は符号２３１の排水水位調整室、符号１１３の低温水流出口のある側は符号２３２の排水流出室である。また、清掃や点検等のメンテナンスを行いやすくするため、本発明の上底に当る部分は開放とし、符号１１４の蓋部を取り外し可能に且つ水密に取り付ける。前記低温水流入口又は低温水流出口の接続は図面ではフランジとなっているが、ねじ込みやソケット等も可能である。【００１６】  図３乃至図５は、本発明の使用状態を示す図であり、図３は施工例図、図４乃至図５はＡ部を拡大し、水位調整の仕組みを説明した図である。図３は説明のため、符号３１０の浴槽と本発明を断面図で記載している。浴槽と本発明の間の配管には、流量調整弁が設けられる。図３では符号３４１の手動流量調整弁で表しているが、前記流量調整弁は、電動のものを使用しても良い。また、清掃等で配管内や本発明内も含めて完全に排水するための排水管を設け、符号３３１の排水弁を設ける。前記排水弁は、通常時は閉めておく。使用開始時は、図４のように、符号２１２の浴槽水面と符号２１３の本発明内の水面が同水位にあり、釣り合っている状態である。ここで、符号３２０の温水吐出口から温水を補給し始めると、連通管で接続される本発明内の排水の水位が、補給水の分だけ上昇し、符号２３３の仕切板溢れ面を越えて符号２３２の排水流出室へ流れ、排水される。【００１７】  本発明を実施すると、浴槽上部からの溢れの代わりに底部から排水することになるが、地域によっては条例などで、浴槽上部から溢れさせることが必要な場合がある。このような場合は、前記流量調整弁の開度を小さくし、浴槽縁から溢れさせることができる。浴槽縁からの溢水量と本発明からの排水量との比を見て、開度調整する。これは、掛け流し浴槽の溢れを演出する場合にも使用できる。
【実施例２】
【００１８】  図６は、高さ調整機構付きの実施例である。本図では符号１２８の高さ調整部の方が本体より外径が大きく、本体を前記高さ調整部に挿入する形となっているが、逆に前記高さ調整部の方が小さく、本体を前記高さ調整部に被せるように製作することもできる。本実施例では、設置現場での施工時に、符号２３３の仕切板溢れ面と浴槽水位を合わせるように高さ調整して保持すれば、水位の調整が可能である。
【実施例３】
【００１９】  図７は低温水流入口及び低温水流出口が底面に設けられた実施例を示す全断面図、図８は図７の実施例の施工例図である。この実施例では、水平仕切板がなく、底部と基礎固定部が一体となっている。前記低温水流入口と前記低温水流出口が底面にあるため底部に接する側面にあるときと同様に本発明内を完全排水できる。また、全体の高さを実施例１乃至実施例２よりも低くできるため小型化でき、本発明設置に要する床下の深さも前述の例と比較して浅くできる。一方、排水水位調整室に高さ調整機構を設けると水密性が低くなり漏水の恐れがあるため、実施例２のような高さ調整は実施できない。このため、後述の実施例も含めた中から必要な機能に応じて選択して実施することになる。
【実施例４】
【００２０】  図９乃至図１０はセンサ付きの実施例で、そのうち図９は、特に電極式の水位センサを付けたものである。本図では、低温水流入口及び低温水流出口は側面にあるが、底面に設けても良い。浴槽の材質が穴加工に耐えられず壊れやすいものであったり硬すぎて穴加工にコストがかかりすぎるなどで浴槽に水位センサが付けられない場合や、意匠的に浴槽に付けることを避けたいときに取り付け、水位が下がったときに温水補給用弁の開度を制御するために使用する。符号１４８で表す水位センサは、符号２３１の排水水位調整室に取り付ける。２室の大きさ比は１対１でなくてよく、排水量にもよるが、機器を小型化するためには、前記水位センサが取り付けられる側、即ち前記排水水位調整室側が比較して大きくなる。
【実施例５】
【００２１】  前記水位センサに代えて他のセンサ、例えば温度センサなどを付けることも可能であるが、段落番号００１０で述べたように浴槽から流出してからの時間が長いほど正確性が低くなるため、図１０のように浴槽から流入した直後の水が触れるよう、符号１５２の低温水流入口の近傍に取り付ける。
【実施例６】
【００２２】  図１１は、掛け流し浴槽の溢れ演出を加えた施工例である。段落番号００１６で述べた実施例に人感センサと制御盤を加え、流量調整弁を電動としたものである。本実施例では、符号３６１の人感センサで入浴者感知したときは符号３４２の電動流量調整弁の開度を小さくし浴槽縁から溢れさせ、入浴者がいなくなったときには前記電動流量調整弁を開き本発明への流入量を増やして浴槽上部からの溢水を削減することができる。浴槽縁からの溢れを行う場合は、浴槽水位は浴槽の溢れ縁の高さとなるが、本発明の機能のみを用いる場合は、本発明の溢れ面が浴槽水位となるため、この２場面の水位は必ずしも一致しない。【００２３】  図１２は、水位センサ及び温度センサを持つ本発明を用いて浴槽の水位及び温度管理を行う実施例の施工例図である。水位センサが渇水を検知している間は補給量を増し、温度センサが低温を検知している間は浴槽水の換水を活発に行い昇温する仕組みである。具体的には以下に述べる通りである。符号１４８の水位センサが渇水を検知したときは、符号３５１の湯水補給用弁を開き温水を浴槽に補給する。浴槽水位が上昇し、前記水位センサが満水を検知したときは、前記湯水補給用弁の開度を小さくし、本発明を利用した排水及び水位調整を開始する。また、符号１５８の温度センサが低温を感知したときは、符号３５１の湯水補給用弁を開き湯水を浴槽に補給するが、このときは水位が下がっていないため、補給された分低温の湯が排水され、温水と低温水との換水が行われる。前記温度センサが設定値までの昇温を検知したときは、前記湯水補給用弁の開度を小さくし、本発明を利用した排水及び水位調整を開始する。【００２４】  更に、人感センサによる演出を加えて図１３のようにすることもできる。基本的な動作は段落番号００２３と同様で、人感センサが入浴者を感知したときは、段落番号００２２の溢れ演出を行うものである。
【実施例７】
【００２５】  実施例１乃至実施例６の垂直仕切板を設ける代わりに、前記低温水流入口から垂直にパイプを設け、パイプの上端を本発明内の溢れ面とすることもできる。図１４乃至図１９で示すものである。図１４のように、側面に低温水流入口及び低温水流出口を設ける実施例の場合は、低温水流出口の内側にエルボを設けてから垂直にパイプを接続する。図１５のように、底面に低温水流入口及び低温水流出口を設ける実施例の場合は、低温水流出口の内側に直接パイプを接続する。このとき、製造時は垂直パイプを長めに製造しておき、現地で浴槽水位に合わせて切断すると、水位の調整が可能である。また、本実施例を実施する際は、垂直パイプの下端即ち低温水流出口と接続する側にバルブソケットを取り付け、前記垂直パイプを接続する低温水流出口又は低温水流出口に接続されたチーズは雌ねじにしておくと良い。初めから雌ねじのチーズを使用しても良いし、水栓ソケット等のネジ接続に変換する部材を取り付けても良い。ねじ接続にしておくことで前記垂直パイプを取り外すことができ、パイプの切断時や製造及びメンテナンス時の作業がしやすくなり、交換も可能なため、パイプが劣化したときや切断を失敗した際に対応可能となる。図１６のように、異径ソケットを用いて垂直パイプの径を拡張することもできる。この場合、垂直パイプと前記異径ソケットは固着しておく必要がある。また、同じく図１６に記載のように符号１７５の水平仕切板を底面とし、前記水平仕切板を符号１７７の基礎固定部より蓋寄りに取り付けることで、配管との接続部を基礎等の面と合わせることができ、施工しやすくしている。また、この例では、段落番号００１５で述べたフランジ以外での配管との接続を示しており、低温水流入口は雌のねじ込み、低温水流出口はソケットでの接続で記載した。垂直パイプは、図１７乃至図１９のように低温水流入口に取り付けても、本発明の基本的な機能は果たせる。【００２６】  図２０は、センサを取り付けた実施例の全断面図である。本図では、垂直パイプを低温水流出口側に設けている。低温水流入口に設けることも可能だが、パイプ側にセンサを付けることになり、実際の製作上取り付けにくいため、図２０のように実施するのが良い。また、本図では図１６の実施例にセンサを付けているが、図１４乃至図１５の実施例に取り付けても良い。図２１は図２０の実施例と人感センサを組み合わせた施工例図である。
【産業上の利用可能性】
【００２７】  本発明の構造は簡単なもので、演出等の付加部分を除けば電源が不要なため、掛け流し浴槽だけでなく、人工池などの水景設備にも応用が可能である。
【符号の説明】
【００２８】１１０    本発明の実施例１
１１１    本体部
１１２    低温水流入口
１１３    低温水流出口
１１４    蓋部
１１５    水平仕切板
１１６    垂直仕切板
１１７    基礎固定部
１２０    本発明の実施例２
１２８    高さ調整部
１３０    本発明の実施例３
１３２    実施例３の低温水流入口
１３３    実施例３の低温水流出口
１３７    実施例３の基礎固定部
１４０    本発明の実施例４
１４８    水位センサ
１５０    本発明の実施例５
１５２    実施例５の低温水流入口
１５３    実施例５の低温水流出口
１５８    温度センサ
１７０    本発明の実施例７
１７２    実施例７の低温水流入口
１７３    実施例７の低温水流出口
１７５    実施例７の水平仕切板
１７６    垂直パイプ
１７７    実施例７の基礎固定部
２１１    補給温水
２１２    浴槽水面
２１３    本発明内の水面
２１４    本発明内の溢れ水
２１５    浴槽縁からの溢れ水
２２１    浴槽に流入した温水の流れ
２２２    浴槽水位
２３１    排水水位調整室
２３２    排水流出室
２３３    仕切板溢れ面
２４１    パイプ式排水水位調整室
２４２    パイプ式排水流出室
２４３    パイプ式排水溢れ面
２５１    本発明の設置に要する床下の深さ
３１０    浴槽
３２０    温水吐出口
３３１    排水弁
３４１    手動流量調整弁
３４２    電動流量調整弁
３５１    温水補給用弁
３６１    人感センサ
３６２    制御盤
４２１    鳥居配管部
【図１】
2020033860.tif 000003
【図２】
2020033860.tif 000004
【図３】
2020033860.tif 000005
【図４】
2020033860.tif 000006
【図５】
2020033860.tif 000007
【図６】
2020033860.tif 000008
【図７】
2020033860.tif 000009
【図８】
2020033860.tif 000010
【図９】
2020033860.tif 000011
【図１０】
2020033860.tif 000012
【図１１】
2020033860.tif 000013
【図１２】
2020033860.tif 000014
【図１３】
2020033860.tif 000015
【図１４】
2020033860.tif 000016
【図１５】
2020033860.tif 000017
【図１６】
2020033860.tif 000018
【図１７】
2020033860.tif 000019
【図１８】
2020033860.tif 000020
【図１９】
2020033860.tif 000021
【図２０】
2020033860.tif 000022
【図２１】
2020033860.tif 000023
【図２２】
2020033860.tif 000024
【図２３】
2020033860.tif 000025